(57)【特許請求の範囲】
【請求項１】
特定入賞口への入賞により可変表示装置を稼動させ、該可変表示装置の表示図柄が特定の組み合わせになった場合に、可変入賞口を一定期間開成させ、入賞の容易な特別状態を発生させるようにしたパチンコ機において、
前記可変表示装置は、始端側に位置する始端欄、終端側に位置する終端欄、および、前記始端欄と前記終端欄との間に位置する途中欄を有し、その複数の図柄を可変表示した後に最初に前記始端欄または前記途中欄の図柄を確定し、次に、前記終端欄の図柄を確定し、さらに、次に、残った未確定の欄の図柄を確定していくように構成された複数の図柄表示欄を備え、
該複数の図柄表示欄の各特性における相互関係が成り立つ成立条件を表示する条件表示欄を有し、
直前に確定した図柄表示欄の特性と次に確定する図柄表示欄の特性との関係が、前記条件表示欄に示される成立条件を満たす場合に、次の図柄表示欄を確定する工程へ移行するようにして、最終的に各図柄表示欄の各特性が条件表示欄の成立条件を満たした場合に、前記特別状態にする制御部を備えたことを特徴とするパチンコ機。
【請求項２】
前記特定入賞口に入賞した場合に、前記可変表示装置の稼動回数を入賞した玉数に対応して設定する稼動回数設定装置を備え、
前記稼動回数設定装置は、予定された未稼動回数分の稼動権利を保留する権利保留部と、前記未稼動回数分の稼動権利を一つづつ実行する権利実行部と、前記未稼動回数から実行済の既稼動回数を減算し、かつ、前記未稼動回数に新たに設定された稼動回数を加算して新たな未稼動回数を算出する演算部と、該未稼動回数を表示する保留表示部とを有することを特徴とする請求項１記載のパチンコ機。
【発明の詳細な説明】
【０００１】
【産業上の利用分野】
本発明は、特定入賞口への入賞により可変表示装置を稼動させ、該可変表示装置の表示図柄が特定の組み合わせになった場合に、可変入賞口を一定期間開成させ、入賞の容易な特別状態を発生させるようにしたパチンコ機に関する。
【０００２】
【従来の技術】
従来のパチンコ機としては、例えば、可変表示装置の表示図柄が特定の組み合わせになり、可変入賞装置が作動して通常より相対的に高い確率で入賞が行なえる特別状態が発生するようにしたいわゆるフィーバー機が存在している。
そして、可変表示装置が３つの表示図柄をそれぞれ回転表示するなどして、遊技者の興趣を高める配慮がなされている。
【０００３】
【発明が解決しようとする課題】
しかしながら、このような従来のパチンコ機では、各パチンコ機において、特別状態になるまでの過程が大きく異なることがなく、ほぼ同じであり、例えば、新たに、別種のパチンコ機に代えて遊技しても、新たな興趣を呼び起こすことがなく、遊技性が高まらないという問題点があった。
本発明は、このような従来の問題点に着目してなされたもので、特別状態になるまでの過程を目新しくして、遊技者の興趣を呼び起こし、遊技性を高めることができるようにしたパチンコ機を提供することを目的としている。
【０００４】
【課題を解決するための手段】
かかる目的を達成するための本発明の要旨とするところは、
１  特定入賞口（１５）への入賞により可変表示装置（１８）を稼動させ、該可変表示装置（１８）の表示図柄が特定の組み合わせになった場合に、可変入賞口を一定期間開成させ、入賞の容易な特別状態を発生させるようにしたパチンコ機において、
前記可変表示装置（１８）は始端側に位置する始端欄、終端側に位置する終端欄、および、始端欄と終端欄との間の途中に位置する途中欄を有し、その複数の図柄を可変表示した後に最初に前記始端欄または前記途中欄の図柄を確定し、次に、前記終端欄の図柄を確定し、さらに次に、残った未確定の欄の図柄を確定していくように構成された複数の図柄表示欄（１８ａ，１８ｂ，１８ｃ，１８ｄ）を備え、
該複数の図柄表示欄（１８ａ，１８ｂ，１８ｃ，１８ｄ）の各特性における相互関係が成り立つ成立条件を表示する条件表示欄（１７）を有し、
直前に確定した図柄表示欄（１８ａ，１８ｂ，１８ｃ，１８ｄ）の特性と次に確定する図柄表示欄（１８ａ，１８ｂ，１８ｃ，１８ｄ）の特性との関係が、前記条件抽選欄（１７）に表示される成立条件を満たす場合に、次の図柄表示欄を確定する工程に移行するようにして、最終的に各図柄表示欄（１８ａ，１８ｂ，１８ｃ，１８ｄ）の各特性が条件表示欄（１７）の成立条件を満たした場合に、前記特別状態にする制御部（１３）を備えたことを特徴とするパチンコ機。
【０００５】
２  前記特定入賞口（１５）に入賞した場合に、前記可変表示装置（１８）の稼動回数を入賞した玉数に対応して設定する稼動回数設定装置（２０）を備え、
前記稼動回数設定装置（２０）は、予定された未稼動回数分の稼動権利を保留する権利保留部（３０）と、前記未稼動回数分の稼動権利を一つづつ実行する権利実行部（４０）と、前記未稼動回数から実行済の既稼動回数を減算し、かつ、前記未稼動回数に新たに設定された稼動回数を加算して新たな未稼動回数を算出する演算部（５０）と、該未稼動回数を表示する保留表示部（７０）とを有することを特徴とする１項記載のパチンコ機に存する。
【０００６】
【作用】
特定入賞口（１５）へ入賞すると、複数の図柄表示欄（１８ａ，１８ｂ，１８ｃ，１８ｄ）が可変表示していき、やがて、その始端欄またはその途中欄に図柄を確定する。次に、その終端欄に図柄を確定し、さらに、次に、残りの欄に図柄を確定していく。
このとき、条件表示欄（１７）は、複数の図柄表示欄の各特性における相互関係が成り立つ成立条件を表示する。
制御部（１３）は、次の図柄表示欄の特性が確定した際に、条件表示欄（１７）が設定して表示した成立条件を、直前に確定した図柄表示欄の特性と次に確定する図柄表示欄の特性との関係が満たす場合に、次の図柄表示欄を確定する工程に移行するようにする。一方、両者の関係が抽選欄（１７）が設定して表示した成立条件を満たさない場合には、次の工程に移行しないで、例えば、複数の図柄表示欄（１８ａ，１８ｂ，１８ｃ，１８ｄ）の可変表示が終了する。
【０００７】
制御部（１３）は、最終的に、複数の表示図柄欄（１８ａ，１８ｂ，１８ｃ，１８ｄ）の特性が条件表示欄（１７）の成立条件を満たした場合に、可変入賞口を入賞し易く開成させた特別状態にする。
特別状態になるまでの過程が目新しく、かつ、条件表示欄（１７）が設定して表示する成立条件によって、特別状態になるか否かが大きく左右され、遊技者にとっては大きな興味となり、遊技の趣向を増すことができる。
【０００８】
前記特定入賞口（１５）に入賞した場合に、前記可変表示装置（１８）の稼動回数を入賞した玉数に対応して設定する稼動回数設定装置（２０）を備え、前記稼動回数設定装置（２０）は、予定された未稼動回数分の稼動権利を保留する権利保留部（３０）と、前記未稼動回数分の稼動権利を一つづつ実行する権利実行部（４０）と、前記未稼動回数から実行済の既稼動回数を減算し、かつ、前記未稼動回数に新たに設定された稼動回数を加算して新たな未稼動回数を算出する演算部（５０）と、該未稼動回数を表示する保留表示部（７０）とを有するものでは、
特定入賞口（１５）に入賞すると、稼動回数設定装置（２０）が入賞した玉数に対応して可変表示装置（１８）の稼動回数を設定し、権利保留部（３０）は予定される未稼動回数分の稼動権利を保留する。権利実行部（４０）が稼動権利を実行していくと、演算部（５０）が未稼動回数から実行済の既稼動回数が減算される。また、同時に未稼動回数が保留表示部（７０）に表示され、遊技者が現時点での未稼動回数を視認することができ、その未稼動回数中に特別状態が成立するか否かに大きな興趣をもって遊技することができる。
【０００９】
【実施例】
以下、図面に基づき本発明の一実施例を説明する。
各図は本発明の一実施例を示している。
図１および図３に示すように、本実施例にかかるパチンコ機１０は、その盤面１２に特定入賞口１５が開設され、特定入賞口１５の上方には可変表示装置１８が設けられている。可変表示装置１８は、４つ並べた図柄表示欄１８ａ，１８ｂ，１８ｃ，１８ｄをそれぞれ可変表示可能に構成して成る。
【００１０】
図柄表示欄１８ａ，１８ｂ，１８ｃ，１８ｄの図柄には、東北新幹線の駅名「仙台」、「福島」、「大宮」および「東京」が用いられている。駅名は、東北新幹線のものに限らず、例えば、東海道新幹線のものであってもよく、また、駅名に限らず、例えば、数字などのようなものであってもよく、要するに、図柄の特性に相互関係が存在し、相互関係に基づき図柄の並ぶ順序に法則が生じるものであればよい。ここで法則とは、駅名であれば、列車が各駅に停車する順序、数字であれば、大きい順または小さい順をいう。
【００１１】
図柄表示欄１８ａ，１８ｂ，１８ｃ，１８ｄは、それぞれが可変表示する液晶パネルであるが、機械式の回転ドラムであってもよい。可変表示装置１８の各図柄表示欄１８ａ，１８ｂ，１８ｃ，１８ｄは、最初にその始端側に位置する図柄表示欄１８ａまたは途中に位置する図柄表示欄１８ｂ，１８ｃのいずれかの図柄が確定し、次に、終端側に位置する図柄表示欄１８ｄが確定し、さらに、次に、残った未確定の図柄表示欄１８ａ，１８ｂ，１８ｃが確定していくものであって、その確定順序は後述の制御部１３が出力する制御信号による。
直前に確定した例えば図柄表示欄１８ｂの駅名と次に確定する例えば図柄表示欄１８ｄの駅名における相互関係が成り立つ成立条件を表示する条件表示欄１７が可変表示装置１８の上方位置設けられている。条件表示欄１７の条件は、例えば、「東北新幹線の上り列車が順次停車していく駅の名称」のごときであり、二番目に確定すべき図柄表示欄１８ｄの駅名が確定するまでに成され、同じく後述の制御部１３の制御信号による。条件表示欄１７に最初から条件が表示されるものであってもよく、その条件は「東北新幹線の上り列車が順次停車していく駅の名称」に限らず、「下り列車が順次停車していく駅の名称」、図柄が数字の場合には、「数の大きい順」などのようになる。
【００１２】
直前に確定した図柄表示欄の駅名と次に確定するの図柄表示欄の駅名とが同じ駅名であれば、前記成立条件を満たさないものとする。
制御部１３は、特定入賞口１５への入賞により可変表示装置１８を駆動制御するものであるが、４つの図柄表示欄１８ａ，１８ｂ，１８ｃ，１８ｄの動作は、前述したごとき順番に停止していく場合に限らない。但し、二番目に停止する欄は最終端に位置する図柄表示欄１８ｄである。
条件表示欄１７と可変表示装置１８との間には路線が模式的に表示され、図柄表示欄に路線の停車駅が対応していて、図柄表示欄が確定すると、それに対応する停車駅が点灯するように構成される路線表示部１９が表示されている。
【００１３】
制御部１３は、特定入賞口１５へ入賞すると、入賞信号を受けて、可変表示装置１８に制御信号を出力し、それにより、４つ並んだ図柄表示欄１８ａ，１８ｂ，１８ｃ，１８ｄを可変表示可能にし、かつ、４つの図柄表示欄１８ａ，１８ｂ，１８ｃ，１８ｄが成立条件を満たし、特定の組み合わせになった場合にフィーバ状態（可変入賞口がラウンド回数分だけ開閉動作を繰り返し、入賞の容易な特別状態）に成るよう構成されている。
稼動回数設定装置２０は、特定入賞口１５に入賞した場合に、該入賞した玉の玉数に対応して可変表示装置１８の図柄表示欄１８ｂの稼働回数を主記憶部である権利保留部３０に書き込むもので、制御部１３が行っているが、専用の制御部を設けても良い。権利保留部３０に書き込まれる稼動回数は、最大保留数が「４」であり、稼働回数の数値は、比較器である権利実行部４０で最大保留数「４」と比較され、最大保留数「４」より大きい数値であると、権利無効部６０から制御信号が権利保留部３０に出力され、「５」以上の数値は書き込み不能に構成されている。本実施例においては、最大保留数は「４」としたが、これに限らず、「４」より大きくても「４」より小さくてもよい。
可変表示装置１８の上方には保留表示部７０が設けられている。保留表示部７０は４つのランプを有し、権利保留部３０に書き込まれた稼働回数が保留表示部７０のランプの点灯した数となって表示される。
【００１４】
権利実行部４０は比較器であり、権利保留部３０に書き込まれた稼働回数が「１」以上であれば、権利実行部４０は可変表示装置１８に制御信号を出力して、可変表示装置１８が可変表示する。また、制御部１３は、権利実行部４０が可変表示装置１８に制御信号を出力すると、演算部５０に制御信号を出力するもので、それにより、演算部５０は権利保留部３０に書き込まれた稼働回数から「１」を減算し、かつ、保留表示部７０はその点灯ランプを１つ滅灯する。このようにして、可変表示装置１８が可変表示していき、権利保留部３０に書き込まれた稼働回数が減算されていき、権利保留部３０に書き込まれた未稼働回数が「０」になると、権利実行部４０から可変表示装置１８への制御信号が出力停止される。
【００１５】
次に作用を説明する。
図５に示すように、ステップ１において、特定入賞口１５いわゆるチャッカーに入賞すると、ステップ２において、可変表示装置１８が稼働中か否かを判断する。可変表示装置１８が稼働中でないと判断されると、ステップ３において、制御部１３が可変表示装置１８に制御信号を出力し、可変表示装置１８が駆動する。
可変表示装置１８が稼働中であると判断されると、ステップ１３において、権利実行部４０が権利保留部３０に書き込まれた未稼働回数が「４」より大きいか否を判断する。図示省略した入賞玉センサは逐次制御部１３に入賞信号を出力し、入賞信号が出力されると、演算部５０が、入賞した玉の数に対応する新たな未稼働回数例えば「２」と元の未稼働回数例えば「２」とを加算し、加算された未稼働回数「４」が権利保留部３０に書き込まれる。また、保留表示部７０のランプが４つ点灯する。
【００１６】
未稼働回数が「４」より大きい場合、ステップ１４において、権利無効部６０は、未稼働回数の最大数値「４」を権利保留部３０に書き込み、「５」以上の未稼働回数に相当する権利が廃棄される。一方、未稼働回数が「４」以下である場合、ステップ１５において、権利保留部３０に書き込まれた未稼働回数分の権利が保留される。特定入賞口１５に玉が入賞していると、演算部５０が、入賞した玉の数に対応する新たな未稼働回数例えば「２」と元の未稼働回数例えば「２」とを加算し、加算された未稼働回数「４」が権利保留部３０に書き込まれる。また、保留表示部７０のランプが４つ点灯する。
権利が保留されると、ステップ１２において、演算部５０が実行されていない権利が保留されているか否かを判断し、権利が保留されていれば、ステップ２に戻り、再び可変表示装置１８が稼働中か否かが判断される。
【００１７】
ステップ３において、４つの図柄表示欄１８ａ，１８ｂ，１８ｃ，１８ｄが稼働して、可変表示するようになり、ステップ４において、始端に位置する図柄表示欄１８ａに対して右隣りの図柄表示欄１８ｂが停止し、図４（ａ）に示すように、駅名「福島」が確定する。次に、ステップ５において、終端に位置する図柄表示欄１８ｄが停止し、図４（ｂ）に示すように、駅名「東京」が確定する。図柄表示欄１８ｄが停止するまでに、条件表示欄１７が成立条件を表示する。条件表示欄１７には、「東北新幹線の上り列車が順次停車していく駅の名称」の文字が表示される。
また、可変表示装置１８が稼働すると、演算部５０が未稼働回数例えば「４」から「１」を減算し、減算した未稼働回数「３」を権利保留部３０に書き込む。
【００１８】
ステップ６において、演算部５０が前記右隣りの図柄表示欄１８ｂと終端の図柄表示欄１８ｄとの相互関係が、条件表示欄１７の成立条件を満たすか否かを判断し、成立条件を満たしていると、ステップ７において、さらに、図柄表示欄１８ｃを停止する。成立条件を満たしていないと、未確定の図柄表示欄１８ａ，１８ｃを停止し、停止した後に、ステップ１２において、演算部５０が未稼働回数が有るか否かを判断する。
ステップ８において、演算部５０が図柄表示欄１８ｃが条件表示欄１７の成立条件を満たしたか否かを判断する。図柄表示欄１８ｃが、図４（ｃ）に示すように駅名「大宮」に確定し、条件表示欄１７の成立条件を満たすと、ステップ９において、始端に位置する図柄表示欄１８ａが停止する。一方、成立条件を満たしていないと、例えば、図柄表示欄１８ａの図柄が前記条件表示欄の条件を充足しない駅名に確定すると、未確定の図柄表示欄１８ａに前記条件を充足しない駅名が停止し、その後、ステップ１２において、演算部５０が未稼働回数が有るか否かを判断する。
ステップ１０において、演算部５０は図柄表示欄１８ａが条件表示欄１７の成立条件を満たすか否かを判断する。図４（ｄ）に示すように、図柄表示欄１８ａの図柄が駅名「仙台」に確定し、演算部５０が条件表示欄１７の成立条件を満たすと判断した場合に、ステップ１１において、制御部１３は、可変入賞口を開閉動作させ特別状態、すなわち、大当たりのフィーバー状態にする。
【００１９】
演算部５０が条件表示欄１７の成立条件を満たさないと判断した場合は、ステップ１２において、演算部５０が未稼働回数が有るか否かを判断し、未稼働回数な無ければ、ステップ１に戻る。未稼働回数が有れば、ステップ２に戻る。
保留表示部７０に現時点での未稼動回数が表示されるため、遊技者にとっては、未稼働回数が残っている間に、可変表示装置１８が特定の組み合わせになり、特別状態すなわちフィーバー状態に成るか否か、また、どのような成立条件が表示されるかが大きな関心となる。
【００２０】
なお、前記実施例においては、可変表示装置１８を４つ並べて成る図柄表示欄１８ａ，１８ｂ，１８ｃ，１８ｄに構成したものを示したが、図柄表示欄１８ａ，１８ｂ，１８ｃ，１８ｄの数は４つに限らず、５つであっても、また、３つであってもよい。
前記実施例によれば、権利無効部６０を設けたために、短時間で特定入賞口１５に連続的に入賞した際に、権利保留部３０への未稼動回数の無制限の増加を防止することができる。
【００２１】
【発明の効果】
本発明にかかるパチンコ機によれば、複数の図柄表示欄をそれぞれ可変表示し、直前に確定した図柄表示欄の特性と次に確定する図柄表示欄の特性との相互関係における成立条件を表示し、直前に確定した図柄表示欄の特性と次に確定する図柄表示欄の特性との関係が、成立条件を満たす場合に、次の図柄表示欄が確定していくようにし、最終的に各図柄表示欄の各特性が条件表示欄の成立条件を満たした場合に、特別状態にするようにしたので、特別状態になるまでの過程を目新しくして、遊技者の興趣を呼び起こし、遊技性を高めることができる。
【図面の簡単な説明】
【図１】本発明の一実施例を示すパチンコ機の要部正面図である。
【図２】本発明の一実施例を示すパチンコ機の構成ブロック図である。
【図３】本発明の一実施例を示すパチンコ機の要部拡大正面図である。
【図４】本発明の一実施例を示すパチンコ機の作用説明図である。
【図５】本発明の一実施例を示すパチンコ機のフローチャートである。
【符号の説明】
１０…パチンコ機
１２…盤面
１５…特定入賞口
１７…条件表示欄
１８…可変表示装置
１８ａ，１８ｂ，１８ｃ，１８ｄ…図柄表示欄
１９…路線表示部
２０…稼動回数設定装置
３０…権利保留部
４０…権利実行部
５０…演算部
６０…権利無効部
７０…保留表示部
【図１】
0003745401.tif 000002
【図２】
0003745401.tif 000003
【図３】
0003745401.tif 000004
【図４】
0003745401.tif 000005
【図５】
0003745401.tif 000006